(57)【要約】【課題】液体収容缶の吐出口に着脱自在に装着することができ、しかも、簡易かつ安価な吐出具を提供する。【解決手段】液体収容缶１に突出形成した略円筒状の吐出口３に着脱自在に装着する吐出具４は、内部に通路を形成した本体部５と、この本体部の一端側に環状に突出形成した複数の舌片部６と、本体の外周に軸方向に移動可能に嵌挿したロックキャップ８とを備え、舌片部６の内面には吐出口３の外周に形成した環状溝３ａに係合する突起６ａを形成し、ロックキャップ８を舌片部６の外周に移動して環状溝３ａと突起６ａとを離脱不能に係合させる一方、ロックキャップ８を本体部５側の外周に移動したとき舌片部６を自由状態にして吐出具４を吐出口３に着脱自在にする。【選択図】　図２
2004123202.tif 000002
【特許請求の範囲】
【請求項１】
液体収容缶に突出形成した略円筒状の吐出口に着脱自在に装着する吐出具であって、この吐出具は、内部に通路を形成した本体部と、この本体部の一端側に環状に突出形成した複数の舌片部と、上記本体の外周に軸方向に移動可能に嵌挿したロックキャップとを備え、上記舌片部の内面には上記吐出口の外周に形成した環状溝に係合する突起を形成し、上記ロックキャップを上記舌片部の外周に移動して上記環状溝と上記突起とを離脱不能に係合させる一方、上記ロックキャップを上記本体部側の外周に移動したとき上記舌片部を自由状態にして上記吐出具を上記吐出口に着脱自在に構成したことを特徴とする液体収容缶用液体吐出具。
【請求項２】
上記本体部の一端側に突出形成した複数の舌片部の内径を上記液体収容缶に突出形成した吐出口の外径にほぼ等しくした請求項１に記載の液体収容缶用液体吐出具。
【請求項３】
上記本体部の外周面と上記ロックキャップのいずれか一方にガイド溝と係合突部を形成し、上記ガイド溝は上記本体部の軸方向と同方向の縦溝とこの縦溝から円周方向に連通する横溝からなり、上記ロックキャップを上記弾性片部の外周に移動したとき、上記ロックキャップの回転によって上記係合突部を上記横溝に係合させてロック状態にした請求項１に記載の液体収容缶用液体吐出具。
【請求項４】
上記本体部の外周面と上記ロックキャップのいずれか一方に形成したガイド溝の横溝を傾斜させ、上記ロックキャップの回転操作によって上記係合突部を傾斜した上記横溝に移動させ、上記ロックキャップを上記本体部の軸方向に対して移動させる請求項３に記載の液体収容缶用液体吐出具。
【発明の詳細な説明】
【０００１】
【発明の属する技術分野】
本発明は、液体収容缶に収容された液体を、吐出口に着脱自在に冠着する吐出具から適量を流出するための液体収容缶用液体吐出具に関する。
【０００２】
【従来の技術】
図６に示すように、各種の液体５１は、４リットル、１８リットル、或いは２０リットル等の容量を有する金属製または合成樹脂製の一斗缶やペール缶等の液体収容缶５０に収納される。この液体収容缶５０端面には吐出口５２が設けられている。通常、収納されている液体を汲み出すためには、液体収容缶５０を図示のように傾斜させ、吐出口５２から液体５１を流出させる。また、手動式や電動式のポンプを吐出口５２から挿入して汲み上げることにより、液体収容缶５０から適量の液体を流出していた。
【０００３】
【発明が解決しようとする課題】
通常、一斗缶やペール缶等の液体収容缶５０は、液体を収容することにより約２０Ｋｇ以上の重量になるため、満タン持に液体収容缶５０を傾斜させて流出作業を行うことは大きな労力を必要とする。また、重量が大きく自由が失われると共に吐出口が大きいことから、容器に所望とする適量の液体を取り出すことが困難なうえに、容器から液体５１を溢れさせて周囲を汚す問題がある。このような溢れの問題を解消するため、吐出口５２にとよ（図示せず）を装着して液体５１の流れをガイドすることもあるが、液体５１が脈動しながら流出するため、大きな流出量のときは、とよから溢れてしまい、依然として問題は解消されない。
【０００４】
更に、一般に吐出口５２が液体収容缶５０の側面から離間しているため、流出作業を終了させたとき、液体５１が液体収容缶５０の端面に戻ることから、端面が汚れる問題がある。この液体収容缶５０に付着した端面の液体５１を長期間放置すると粉塵やゴミ等が付着する。この結果、次回使用するときに液体５１を流出すると、これら粉塵等の異物が液体５１内に混入し、その液体５１を使用できなくなる問題が生ずる。このため、吐出作業の終了時には常に液体の拭き取り作業が必要であり、また、拭き取り時に使用する紙や布は、液体の種別によっては廃棄によって環境汚染につながる重大な問題に発展する危険性を有している。
【０００５】
本発明は、上述した問題に鑑み、液体収容缶の吐出口に着脱自在に装着することができ、しかも、簡易かつ安価な吐出具を提供することを目的としている。
【０００６】
【課題を解決するための手段】
上記目的を達成するために、本発明の請求項１に記載の液体収容缶用液体吐出具は、液体収容缶に突出形成した略円筒状の吐出口に着脱自在に装着する吐出具であって、この吐出具は、内部に通路を形成した本体部と、この本体部の一端側に環状に突出形成した複数の舌片部と、上記本体の外周に軸方向に移動可能に嵌挿したロックキャップとを備え、上記舌片部の内面には上記吐出口の外周に形成した環状溝に係合する突起を形成し、上記ロックキャップを上記舌片部の外周に移動して上記環状溝と上記突起とを離脱不能に係合させる一方、上記ロックキャップを上記本体部側の外周に移動したとき上記舌片部を自由状態にして上記吐出具を上記吐出口に着脱自在に構成したことを特徴としている。
【０００７】
かかる請求項１に記載の発明によれば、本体部に突出形成した複数の舌片部の内面に突起を形成し、この突起を吐出口の外周に形成した環状溝に係合した状態でロックキャップを舌片部の外周に移動させることにより、吐出具を吐出口に離脱不能に装着することができる。また、ロックキャップを舌片部の外周から外すことにより、舌片部が自由状態になるので、液体収容缶の吐出口に対して着脱自在に装着することができる。更に、吐出具から適量の液体を流出させることができ、吐出終了時に液体が液体収容缶に付着しないので、汚染や液体中への異物混入が未然に防止できる。
【０００８】
また、本発明の請求項２に記載の液体収容缶用液体吐出具は、上記本体部の一端側に突出形成した複数の舌片部の内径を上記液体収容缶に突出形成した吐出口の外径にほぼ等しくしたことを特徴としている。
【０００９】
かかる請求項２に記載の発明によれば、複数の舌片部の内径が液体収容缶の吐出口の外径とほぼ等しいので、舌片部の内面に形成した突起が吐出口の外周に形成した環状溝に確実に係合させることができる。この結果、ロックキャップを舌片部の外周に装着することにより、吐出具が吐出口から離脱することを阻止できる。
【００１０】
更に、本発明の請求項３に記載の液体収容缶用液体吐出具は、上記本体部の外周面と上記ロックキャップのいずれか一方にガイド溝と係合突部を形成し、上記ガイド溝は上記本体部の軸方向と同方向の縦溝とこの縦溝から円周方向に連通する横溝からなり、上記ロックキャップを上記舌片部の外周に移動したとき、上記ロックキャップの回転によって上記係合突部を上記横溝に係合させてロック状態にしたことを特徴としている。
【００１１】
かかる請求項３に記載の発明によれば、本体部とロックキャップのいずれか一方に形成した係合突部がガイド溝の横溝に係合すると、ロックキャップが舌片部の外周を押さえる位置を固定するので、吐出具が吐出口から離脱することを阻止できる。また、ロックキャップの回転操作により、係合突部をガイド溝の縦溝に係合させると、本体部への移動が可能となって着脱が容易になる。
【００１２】
更に、本発明の請求項４に記載の液体収容缶用液体吐出具は、上記本体部の外周面と上記ロックキャップのいずれか一方に形成したガイド溝の横溝を傾斜させ、上記ロックキャップの回転操作によって上記係合突部を傾斜した上記横溝に移動させ、上記ロックキャップを上記本体部の軸方向に対して移動させることを特徴としている。
【００１３】
かかる請求項４に記載の発明によれば、ガイド溝の横溝を傾斜させると、ロックキャップが回転操作により軸方向に移動するので、吐出口に対する吐出具の装着と離脱操作が容易になる。また、不用意にロックキャップを軸方向に移動させて吐出具を離脱することにより液体を漏出させる事故を未然に防止できる。
【００１４】
【発明の実施の形態】
以下、図面に基づいて本発明の実施の形態を詳細に説明する。
【００１５】
図１、及び、図２は、本発明による液体収容缶用液体吐出具を示す断面図であり、ペール缶や一斗缶に代表される液体収容缶１の内部には、オイル、溶剤、薬品、或いは、醤油、食用油等の液体２が収納されている。液体収容缶１は一般に金属板を円柱状または角柱状に形成されている。
【００１６】
また、液体収容缶１の端面には、金属板からなる側板１ａが嵌合され、周囲を液体収容缶１の開口端と共にカーリングすることにより一体に固着されている。更に、側板１ａの外周に近い個所には吐出口３が形成されている。この吐出口３は、略円筒状に突出形成され、外周には環状溝３ａが形成されている。
【００１７】
吐出口３には、本発明からなる吐出具４が装着される。吐出具４は、図２に示すように、略円筒状に形成された本体部５と、この本体部５の一端側から円筒状に突出形成された複数の舌片部６と、本体部５および舌片部６の外周に嵌挿されたロックキャップ８とを少なくとも有している。更に、本体部５の他端側には、ドレインコック７が連結されている。
【００１８】
本体部５は、例えば合成樹脂によって略円筒状に形成され、他端側には小径の円筒部５ａが一体に形成されている。また、本体部５の内部には、一端側から他端側に連通した液体通路５ｂが形成されている。この液体通路５ｂは、他端側を小径に形成しているため、他端側に至るに従って小さな内径となるテーパ状に形成している。
【００１９】
この本体部５の一端側に一体に突出形成された複数の舌片部６は、可撓性を有するように肉薄に形成され、外径を本体部５と等しくしている。また、複数の舌片部６によって形成された内径は、液体収容缶１の吐出口３の外径にほぼ等しく形成している。尚、複数の舌片部６は、可撓性を有していることから、吐出口３への装着を容易にするために若干大きく形成しても良い。更に、舌片部６の内面には、各々吐出口３の外周に形成された環状溝３ａに係合する突起６ａを形成している。この突起６ａは、本実施態様においては、円周上に長方形の略蒲鉾状に形成しているが、半球状に突出形成させても良い。
【００２０】
ロックキャップ８は例えば合成樹脂によって略円筒状に形成され、本体部５および舌片部６の外周に移動可能に嵌挿している。また、ロックキャップ８の外周には、後述する回転操作を行うときに、滑り止めとなるように、長手方向を軸方向に一致させた複数状の突堤が突出形成されている。
【００２１】
また、本体部５の他端側にはドレインコック７が配設されている。即ち、本体部５の他端側に一体に突出形成された小径の円筒部５ａは、内部を中空に形成して上記液体通路５ｂに連通するようにしている。そして、この円筒部５ａの中間部には、上記液体通路５ｂに連通させた円筒状の排出口１０が円筒部５ａに対して直角方向に突出形成されている。
【００２２】
更に、円筒部５ａの開口端から回転部１１が回転自在に嵌挿されている。この回転部１１は、外径を円筒部５ａの内径よりも若干小さくして、円筒部５ａの開口端から嵌挿される筒部１１ａと、この筒部１１ａの一端側を閉塞すると共に突出形成した取手部１１ｂによって構成されている。また、上記排出口１０に対応位置した筒部１１ａの中間部には、略円形の透孔１１ｃが形成されている。尚、円筒部５ａに筒部１１ａを嵌挿したとき、両者間の隙間から液体が漏洩しないように、円筒部５ａと筒部１１ａの間に一対のＯリング１２が配設されている。また、本体部５の一端側の内部にシールリング１３を配設し、液体収容缶１の吐出口３との間に介在させることにより、液体２の漏洩を防止している。
【００２３】
このように構成されたドレインコック７の取手部１１ｂを回転させ、排出口１０の開口円に対して、筒部１１ａに形成した透孔１１ｃの開口円を一致させることにより、液体収容缶１の内部に収納された液体２が排出口１０から流出する。このとき、排出口１０から流出する液体２の量は、取手部１１ｂを回転させ、排出口１０と透孔１１ｃによって形成される開口面積を変化させることにより任意に調整することができる。尚、ドレインコック７から大量の液体２を吐出した場合、液体収容缶１の内部が負圧になることによって吐出量が減少する。これを防止するために、液体収容缶１の側板１ａに透孔１ｂを設け、液体収容缶１内の気圧を外気圧と同じにすることが望ましい。また、使用後には透孔１ｂから粉塵が入ることや、液体２の酸化等の変質を防止するために、封止栓１９を挿入することが望ましい。
【００２４】
次に、以上説明した吐出具４の装着方法を図３に基づいて説明する。図３（Ａ）は液体収容缶１の吐出口３に装着する前の状態を示している。即ち、吐出具４の本体部５および舌片部６の外周に移動可能に嵌挿したロックキャップ８を本体部５の外周側に移動して複数の舌片部６を自由状態にする。この状態から図３（Ｂ）に示すように、吐出具４の舌片部６を吐出口３に押し込む。このとき、複数の舌片部６は可撓性を有していることから、吐出口３の外周部によって拡開される。
【００２５】
更に吐出具４を押し込むと、舌片部６の内面に各々形成された突起６ａが、図３（Ｃ）に示すように、吐出口３の外周に形成された環状溝３ａに係合する。その後、ロックキャップ８を本体部５の外周側から複数の舌片部６側に移動して、図３（Ｄ）に示すように、複数の舌片部６の外周を包囲する。この結果、吐出具４は吐出口３にワンタッチで装着される。この状態では、複数の舌片部６がロックキャップ８によって拡開を阻止されるので、吐出具４は吐出口３から離脱することがない。
【００２６】
一方、吐出具４を吐出口３から離脱するには、ロックキャップ８を本体部５の外周側に移動して複数の舌片部６を自由状態にする。この状態から吐出具４を引き抜くと、複数の舌片部６が吐出口３の外周部を乗り越えて離脱が完了する。以上のように、本発明による吐出具４は、ロックキャップ８を複数の舌片部６から解放して自由状態にすることによって装着と離脱操作を行うと共に、ロックキャップ８によって複数の舌片部６を包囲して固定することによってロックすることができ、この一連の操作をワンタッチで行うことができる。
【００２７】
図３に示した実施態様において、ロックキャップ８の回転操作によって、ロックキャップ８を本体部５と複数の舌片部６との間を軸方向に移動することができる。即ち、本体部５の外周には、軸方向に対して傾斜したガイド溝１４（図４を参照）が形成されている。このガイド溝１４の舌片部６から離間した一端には、軸方向と同方向の導入溝１５が連設されている。一方、ロックキャップ８の内周面には、上記ガイド溝１４に嵌合する係合突部１６を突出形成している。
【００２８】
ロックキャップ８は、係合突部１６を舌片部６側の導入溝１５に合致させ、本体部５側に移動してガイド溝１４の一端まで挿入することにより装着される。導入溝１５とガイド溝１４の一端の間に低い高さの突起を形成することにより、ロックキャップ８が容易に導入溝１５に戻らないようにしている。
【００２９】
この状態では、図３（Ｃ）に示すように、ロックキャップ８は本体部５の外周側に位置し、複数の舌片部６を自由状態にしている。ロックキャップ８を回転すると、係合突部１６がガイド溝１４に従って移動し、図３（Ｃ）に示すように、舌片部６側に移動する。この結果、吐出具４はロックキャップ８の回転操作よって吐出口３にワンタッチで装着される。また、吐出具４を吐出口３から離脱するときは、ロックキャップ８を逆方向に回転操作することにより、係合突部１６がガイド溝１４に従って移動し、図３（Ｃ）に示すように本体部５の外周側に到達させれば良い。
【００３０】
図５は、ロックキャップ８が不用意に離脱しないように、ロックキャップ８をロック状態にするための構成を示している。即ち、本体部５の外周には、円周方向に横溝１７からなるガイド溝を形成すると共に、この横溝１７の一端から本体部５の軸方向に縦溝１８を連通させている。一方、ロックキャップ８の内周面には、上記ガイド溝に嵌合する係合突部１６が突出形成されている。
【００３１】
そして、ロックキャップ８は、係合突部１６を縦溝１８に一致させることにより、本体部５と舌片部６側に移動させることができる。また、ロックキャップ８をロック状態にするときは、係合突部１６を横溝１７に係合させて回転させることにより、ロックキャップ８は軸方向への移動が阻止され、舌片部６の周囲を包囲することができる。
【００３２】
尚、係合突部とガイド部は、ロックキャップ８と本体部５との間で相対的に形成することができ、ロックキャップ８にガイド溝を形成すると共に、本体部５に係合突部を形成しても良い。また、本体部５と舌片部６、および、ロックキャップ８は、金属製、合成樹脂製等の材質、或いは形状、構造等の種別は問わない。
【００３３】
図６は、吐出具の他の実施態様を示している。即ち、吐出具２０の本体部２１の他端側には小径の円筒部２２が一体に突出形成され、この円筒部２２の内部は前述した液体通路５ａに連通するように中空に形成されている。そして、小径の円筒部２２には、注液パイプ２３を嵌合するようにしている。尚、円筒部２２以外の吐出具２０の構成は、前述した吐出具４と同様の構成であり、その詳細な説明は省略する。
【００３４】
注液パイプ２３は、各種のオイル、溶剤、薬品等の液体２によって変形や溶解しない、例えば塩化ビニール樹脂、ポリプロピレン樹脂、或いは、ナイロン樹脂等の樹脂から選択される。また、注液パイプ２３の一端側は、上記円筒部２２に軽圧入的に嵌合する内径に形成され、内周面には円筒部２２に形成された環状溝に係合する環状の突条２３ａが形成されている。この注液パイプ２３は、４リットル缶等の持ち上げて吐出することが可能な比較的小型の液体収容缶に使用することが好ましい。
【００３５】
図７は、吐出具の更に他の実施態様を示している。即ち、吐出具３０は、舌片部３１とドレインコック部３２が一体に形成されている。舌片部３１は略皿状に形成すると共に、周壁に複数個の切り込みを形成して前述の舌片部６と同様に形成している。更に、舌片部３１の内面には突条３１ａを形成し、上記吐出口３に装着したとき、突条３１ａを吐出口３の外周に形成された環状溝３ａに係合させるようにしている。また、複数の舌片部３１の外周には、ロックキャップ３３を装着し、複数の舌片部３１を包囲してロックするようにしている。このロックキャップ３２は、略皿状に形成され、複数の舌片部３１に軽圧入的に嵌合する内径に形成されている。
【００３６】
以上の舌片部３１には、ドレインコック部３２が連設されている。即ち、舌片部３１の底面に形成された透孔とドレインコック部３２に形成された内孔３２ａが連通している。ドレインコック部３２には、内孔３２ａから吐出口３２ｂに至る通路が形成され、その中間には通路を開閉するための弁が設けられている。この弁は、ノブ３４の回動に連動するように構成している。
【００３７】
以上のように構成された吐出具３０は、前述の例と同様に、液体収容缶１の吐出口３に装着される。このとき、ロックキャップ３３を舌片部３１から外した状態とし、舌片部３１を吐出口３に当接して押圧することにより各片が外方に拡開する。そして、突条３１ａが吐出口３の開口端外周を過ぎると、やがて突条３１ａが吐出口３の環状溝３ａに係合する。その後、ロックキャップ３３を舌片部３１の外周に挿入して装着することにより、吐出具３０は液体収容缶１の吐出口３に離脱不能に装着される。液体吐出具３０を離脱するには、ロックキャップ３３を舌片部３１の外周から外し、舌片部３１を自由状態にした後に引くことにより容易に離脱させることができる。
【００３８】
そして、液体収容缶１を傾斜させた状態でドレインコック部３２のノブ３４を回動することによって、吐出口３２ｂから内部の液体２を吐出させることができる。適量の液体を流出した後に、ノブ３４を元の位置まで回動により復帰すれば液体２の吐出が停止する。
【００３９】
ドレインコック部３２から大量の液体２を吐出すると、液体収容缶１の内部が負圧になることによって吐出量が減少する。これを防止するために、ドレインコック部３２の吐出口３２ｂから内部を通り、舌片部３１の内面から液体収容缶１の内部に至る空気パイプ３５を設け、液体収容缶１の内部の気圧を外気圧と同じにすることが望ましい。
【００４０】
尚、本発明は、以上説明した実施形態に限定されることなく、本発明を逸脱しない範囲において種々変更可能であることは言うまでもない。例えば、吐出具の形状は前述の実施態様に限定されない。また、複数の舌片部の内周面に形成した突起は、全ての舌片部に形成しなくとも、例えば半数の舌片部に形成するようにしても良い。更に、吐出具の本体部の他端側に突出形成した小径の円筒部に、ドレインコック部、注液パイプ等を交換して装着可能に継ぎ手構造に形成しても良い。
【００４１】
【発明の効果】
以上述べたように、本発明の請求項１にかかる液体収容缶用液体吐出具は、本体部に突出形成した複数の舌片部の内面に突起を形成し、この突起を吐出口の外周に形成した環状溝に係合した状態でロックキャップを舌片部の外周に移動させることにより、吐出具を吐出口に離脱不能に装着することができ、また、ロックキャップを舌片部の外周から外すことにより、容易に離脱させることができるので、吐出具を液体収容缶の吐出口に対して着脱自在に装着することができる。更に、吐出具から適量の液体を流出させるので、吐出終了時に液体が液体収容缶に付着せず、汚染や液体中への異物混入が未然に防止できる。
【００４２】
また、本発明の請求項２の液体収容缶用液体吐出具は、複数の舌片部の内径が液体収容缶の吐出口の外径とほぼ等しいので、舌片部の内面に形成した突起が吐出口の外周に形成した環状溝に確実に係合させることができる。この結果、ロックキャップを舌片部の外周に装着することにより、吐出具が吐出口から離脱することを阻止できる。
【００４３】
更に、本発明の請求項３の液体収容缶用液体吐出具は、本体部とロックキャップのいずれか一方に形成した係合突部がガイド溝の横溝に係合することにより、ロックキャップを固定することができるので、吐出具が吐出口から離脱することを未然に阻止できる。また、ロックキャップの回転操作と軸方向への移動がガイド溝によって規定されるので、着脱操作を容易にすることができる。
【００４４】
更に、本発明の請求項４の液体収容缶用液体吐出具は、傾斜したガイド溝によって、ロックキャップが回転操作により軸方向に移動するので、吐出口に対する吐出具の装着と離脱操作が容易になる。また、不用意にロックキャップを軸方向に移動させて吐出具を離脱することにより液体を漏出させる事故を未然に防止できる。
【図面の簡単な説明】
【図１】本発明にかかる吐出具を液体収容缶に装着した状態を示す断面図である。
【図２】図１における吐出具を示す要部拡大図である。
【図３】本発明にかかる吐出具を液体収容缶に装着する工程を示す説明図である。
【図４】本発明にかかるガイド溝と係合突部を示す断面図である。
【図５】本発明にかかるガイド溝の他の実施態様を示す要部平面図である。
【図６】本発明にかかる吐出具の他の実施態様を示す断面図である。
【図７】本発明にかかる吐出具の更に他の実施態様を示す断面図である。
【図８】従来の液体収容缶を示す断面図である。
【符号の説明】
１　　　　　液体収容缶
１ａ　　　　側板
２　　　　　液体
３　　　　　吐出口
３ａ　　　　環状溝
４　　　　　吐出具
５　　　　　本体部
５ａ　　　　円筒部
５ｂ　　　　液体通路
６　　　　　舌片部
６ａ　　　　突起
７　　　　　ドレインコック
８　　　　　ロックキャップ
１４　　　　ガイド溝
１５　　　　導入溝
１６　　　　係合突部
１７　　　　横溝
１８　　　　縦溝
【図１】
2004123202.tif 000003
【図２】
2004123202.tif 000004
【図３】
2004123202.tif 000005
【図４】
2004123202.tif 000006
【図５】
2004123202.tif 000007
【図６】
2004123202.tif 000008
【図７】
2004123202.tif 000009
【図８】
2004123202.tif 000010